(57)【要約】【課題】  前身頃と後身頃とが非対称でかつ袖を有するニットウエアを横編機によって無縫製で簡単に編成する方法を提供する。【解決手段】  前身頃１２および後身頃１８のうち、幅広の方の身頃を対称軸線で山折りに折り返した２層の外編地とし、幅狭の方の身頃を谷折りに折り返した２層の内編地とする。山折り部３０および谷折り部３２を針床の左右方向の一方側に配置し、前身頃１２と後身頃１８との身幅方向両端部２８を他方側で重なるように配置する。身頃の袖ぐり部２０に連結する両袖１６は身頃から離反する方向に延在されることになる。編地の配置は針床に前後方向に対称で、かつ最大層数が４層の編地が重なるように配置できるので、公知の針抜き編成を用いて容易に編成できる。【選択図】      図４
2008163528.tif 000002
【特許請求の範囲】
【請求項１】
（ａ）少なくとも前後一対の針床を備え、前後の針床間での目移しおよびラッキングが可能な横編機を用いて、前身頃と後身頃とが非対称でかつ左右の袖を有するニットウエアを無縫製で編成するニットウエアの編成方法であって、
（ｂ）前記前身頃および後身頃のうち身幅の大きい一方の身頃は、この一方の身頃を左右対称に分割するように山折りして２層に折り返した状態で、
（ｂ１）前記山折りによって形成される山折り部が、各針床における前記一方の身頃の編地の一側端に配置され、
（ｂ２）前記一方の身頃の身幅方向両端部が、各針床における前記一方の身頃の編地の他側端に配置されて編成され、
（ｃ）前記前身頃および後身頃のうち身幅の小さい他方の身頃は、この他方の身頃を左右対称に分割するように谷折りして２層に折り返した状態で、
（ｃ１）前記他方の身頃の各層が、各針床における前記一方の身頃の前記２層を成す編地の内側に配置され、
（ｃ２）前記谷折りによって形成される谷折り部が、前記一方の身頃の編地の前記一側端側に配置され、
（ｃ３）前記他方の身頃の身幅方向両端部が、前記一方の身頃の編地の他側端側に配置され、この他方の身頃の身幅方向両端部のうち、前記一方の身頃の身幅方向両端部に連なる領域が、各針床における前記一方の身頃の身幅方向両端部の編地に、前後方向にほぼ対向して配置されて編成され、
（ｄ）前記左右の袖は、前後方向にそれぞれ２層の編地が重なった状態で、各針床における前記各身頃の編地に前記他側端側で隣接、または前記各身頃の編地から前記他側端側に離間して配置されて編成され、
（ｅ）前記前身頃、後身頃および各袖の針床上での編地の配置において、前後の針床に４層の編地が重なって配置される領域は、針抜き編成されることを特徴とするニットウエアの編成方法。
【請求項２】
前記前身頃、後身頃および各袖の針床上での編地の配置において、針床上で前後方向に外側の２層の外編地および内側の２層の内編地から成る４層の編地が重なって配置される領域では、前側の外編地と内編地とは、針床上で表目と裏目とが逆転するように編成され、後側の外編地と内編地とは、針床上で表目と裏目とが逆転するように編成されることを特徴とする請求項１記載のニットウエアの編成方法。
【請求項３】
前記前後の身頃と前記各袖とは、連続した編地となるように並行して編成され、袖開口部が形成される領域では、一方の身頃と袖とを編成する編糸と、他方の身頃と袖とを編成する編糸とが、異なる給糸口から個別に給糸されて編成されることを特徴とする請求項１または２記載のニットウエアの編成方法。
【請求項４】
前記前後の身頃を裾部から編出し、前記各袖を袖口部から編出して、前記前後の身頃と前記各袖とを個別に編成を進行し、前記各身頃の袖ぐり部で前記各袖を接続しながら各身頃を編成することを特徴とする請求項１または２記載のニットウエアの編成方法。
【発明の詳細な説明】
【技術分野】
【０００１】
本発明は、横編機を用いて袖付きのニットウエアを無縫製で編成する編成方法に関する。
【背景技術】
【０００２】
本件出願人は、横編機を用いてニットウエアを無縫製で編成する方法を種々提案している。筒状の編地を無縫製で編成するには、少なくとも前後一対の針床を有する横編機を用い、前身頃は前針床の針、後身頃は後針床の針に付属させ、これら前後の編地に周回で給糸して前後の編地を両端で連続させる編成方法を用いる。さらに、この方法に組み合わせて、いわゆる針抜き編成によって筒状の編地をリブ編みで編成したり（たとえば、特許文献１参照）、複数の編地の接合や伏せ目をしたり（たとえば、特許文献２参照）、編成途中で新規の編み出しを開始したり（たとえば、特許文献３参照）など、種々の編成を行うことができる。
【０００３】
しかし、たとえば、胸幅を背幅より幅広にしたデザインや、後身頃にダーツを入れて絞ったデザインといった前身頃と後身頃が非対称なデザインのニットウエアを無縫製で編成するのは、技術的に困難である。その理由は、前針床で編成する前編地と後針床で編成する後編地との編幅が異なると、前後の編地の境界である編地の端で編針に係止されない部分が生じて編目が間延びしてしまうからである。また、編成途中で前後の編幅に差が生じてから、幅広側の編地の端部を対向する針床へ移動して前後の編幅を揃えると、捻れ目が生じて、編成された編地の外観が損なわれるからである。
【０００４】
本件出願人は、これまで、前後非対称なニットウエアで捻れ目を生じさせることのない編成方法を開示している（たとえば、特許文献４，５参照）。特許文献４に開示する技術では、予め捻った状態で編目を形成することによって、前後の編幅を揃えるために対向する針床に移動したときに捻れが解消するようにしている。また、特許文献５に開示する技術では、互いに身幅が異なる前身頃および後身頃を両端で連結して編成するときに、前後の身頃を連結する境界線が編幅の側端部に位置するように、一方の針床から他方の針床へと編地を左右交互に回し込ませてから編成している。
【０００５】
【特許文献１】特開平３−７５６５６号公報
【特許文献２】特開平８−１５８２０９号公報
【特許文献３】国際公開第ＷＯ２００２／１０１１３３号パンフレット
【特許文献４】特開平５−９８５１号公報
【特許文献５】特開２００６−１８８７７６号公報
【特許文献６】国際出願ＰＣＴ／ＪＰ２００６／３１４６６９号
【発明の開示】
【発明が解決しようとする課題】
【０００６】
しかしながら、特許文献４，５に示される技術によれば捻れ目の問題は解消するものの、編成が複雑化する。また、前身頃と後身頃とをそれぞれ異なる給糸口を使用して編成する場合には、一方の編地を編成するための給糸口が他方の編地の編幅内に停止することになるので、他方の編地を編成するときに、一方の編地用の給糸口から編針に延びる編糸を編み込まないように手当てする必要も生じる。
【０００７】
本件出願人は、前後非対称なニットウエアをより簡単に編成する方法について提案している（特許文献６参照）。特許文献６の編成方法では、前身頃および後身頃のそれぞれを左右対称に分割する対称軸線を針床における編幅の両側端部に位置させて編地の編成を行う。前後の身頃の連結部分は編幅の中央付近に位置することになる。この方法によれば、前身頃と後身頃とが非対称にデザインされたニットウエアであっても、前後の針床に対称形で配置して編成されるので、特許文献４，５に記載される従来の技術のように、一方の針床での編成時に他方の針床での編成を考慮して編成する必要はなくなる。しかし、この技術で容易に編成できるものは、タンクトップおよびキャミソールなどのノースリーブのウエアに限られ、袖付きのニットウエアを編成することは困難である。
【０００８】
本発明の目的は、前身頃と後身頃とが非対称でかつ袖を有するニットウエアを横編機によって無縫製で簡単に編成する方法を提供することである。
【課題を解決するための手段】
【０００９】
本発明は、（ａ）少なくとも前後一対の針床を備え、前後の針床間での目移しおよびラッキングが可能な横編機を用いて、前身頃と後身頃とが非対称でかつ左右の袖を有するニットウエアを無縫製で編成するニットウエアの編成方法であって、
（ｂ）前記前身頃および後身頃のうち身幅の大きい一方の身頃は、この一方の身頃を左右対称に分割するように山折りして２層に折り返した状態で、
（ｂ１）前記山折りによって形成される山折り部が、各針床における前記一方の身頃の編地の一側端に配置され、
（ｂ２）前記一方の身頃の身幅方向両端部が、各針床における前記一方の身頃の編地の他側端に配置されて編成され、
（ｃ）前記前身頃および後身頃のうち身幅の小さい他方の身頃は、この他方の身頃を左右対称に分割するように谷折りして２層に折り返した状態で、
（ｃ１）前記他方の身頃の各層が、各針床における前記一方の身頃の前記２層を成す編地の内側に配置され、
（ｃ２）前記谷折りによって形成される谷折り部が、前記一方の身頃の編地の前記一側端側に配置され、
（ｃ３）前記他方の身頃の身幅方向両端部が、前記一方の身頃の編地の他側端側に配置され、この他方の身頃の身幅方向両端部のうち、前記一方の身頃の身幅方向両端部に連なる領域が、各針床における前記一方の身頃の身幅方向両端部の編地に、前後方向にほぼ対向して配置されて編成され、
（ｄ）前記左右の袖は、前後方向にそれぞれ２層の編地が重なった状態で、各針床における前記各身頃の編地に前記他側端側で隣接、または前記各身頃の編地から前記他側端側に離間して配置されて編成され、
（ｅ）前記前身頃、後身頃および各袖の針床上での編地の配置において、前後の針床に４層の編地が重なって配置される領域は、針抜き編成されることを特徴とするニットウエアの編成方法である。
【００１０】
また本発明は、前記前身頃、後身頃および各袖の針床上での編地の配置において、針床上で前後方向に外側の２層の外編地および内側の２層の内編地から成る４層の編地が重なって配置される領域では、前側の外編地と内編地とは、針床上で表目と裏目とが逆転するように編成され、後側の外編地と内編地とは、針床上で表目と裏目とが逆転するように編成されることを特徴とする。
【００１１】
また本発明は、前記前後の身頃と前記各袖とは、連続した編地となるように並行して編成され、袖開口部が形成される領域では、一方の身頃と袖とを編成する編糸と、他方の身頃と袖とを編成する編糸とが、異なる給糸口から個別に給糸されて編成されることを特徴とする。
【００１２】
また本発明は、前記前後の身頃を裾部から編出し、前記各袖を袖口部から編出して、前記前後の身頃と前記各袖とを個別に編成を進行し、前記各身頃の袖ぐり部で前記各袖を接続しながら各身頃を編成することを特徴とする。
【発明の効果】
【００１３】
本発明によれば、前身頃および後身頃のうち、幅広の方の身頃を対称軸線で山折りに折り返して２層の外編地を構成し、幅狭の方の身頃を対称軸線で谷折りして２層の内編地を構成した状態で、針床上で内編地が外編地の内側になるように配置する。このとき、山折り部および谷折り部を針床の左右方向一方側に配置し、前身頃および後身頃の身幅方向両端部を他方側で重なるように配置する。また、両袖は針床上で前記各身頃に隣設される。したがって、前後非対称で袖付きのニットウエアであっても、前後の針床に最大層数が４層の編地が重なった状態で前後方向に対称形で配置して編成することができるので、公知の針抜き編成を用いて容易に編成できる。
【００１４】
また本発明によれば、前後の針床に４層の編地が重なって編成される領域では、前側の外編地と内編地とで、および後側の外編地と内編地とで、針床上で表目と裏目が逆転するように各編地を編成することが好ましい。この結果、編成された前身頃の編組織と後身頃の編組織とを前身頃および後身頃の境界で連続して一様にすることができる。
【００１５】
また本発明によれば、前後の身頃と袖とが連続した編地となるように同時進行的に編成することもできるし、また、前後の身頃と袖との編成を個別に開始してから、身頃の袖ぐり部で袖の編地を接続するように編成することもできる。本発明は、このような種々の編成方法と組み合わせることによって、様々なデザインのニットウエアの製造が可能になる。
【発明を実施するための最良の形態】
【００１６】
図１は、本発明の編成方法が適用される一例である前後非対称な袖付きニットウエア１０の正面および背面のデザイン型紙を示す平面図である。図１（１）は、前身頃１２ならびに前身頃１２に連結される右袖１４ｒおよび左袖１４ｌの正面側の形状を示し、図１（２）は、後身頃１８ならびに後身頃１８に連結される右袖１６ｒおよび左袖１６ｌの背面側の形状を示す。前後の袖ぐり部２０ｆ，２０ｂでくり違いは無いものとする。図１の例で、前身頃１２の身幅ｗ１と後身頃１８の身幅ｗ２とを比較すると、ｗ２＞ｗ１であり、後身頃１８の身幅ｗ２の方が広い。
【００１７】
図２は、図１に示す型紙によって編成されたニットウエアの外観を示す正面図である。図３は、図２の切断面線３ａ−３ａ、３ｂ−３ｂおよび３ｃ−３ｃから見たニットウエアの断面形状を模式的に示す断面図である。図３では、後身頃１８の部分を太い実線で示している。後身頃１８の身幅ｗ２のほうが、前身頃１２の身幅ｗ１よりもｗ２−ｗ１だけ幅広なので、後身頃１８の一部が正面側に回り込んでいる。なお、編成されたニットウエア１０では裾２２、衿２４および左右の袖口２６ｒ，２６ｌに開口がある。
【００１８】
図４は、本発明の編成方法を用いて、図１〜図３に示すニットウエア１０を編成するときの横編機での編地の配置を示す図である。図５は、図４の切断面線５ａ−５ａ、５ｂ−５ｂおよび５ｃ−５ｃから見た形状を模式的に示す断面図である。本発明の編成方法が用いられる横編機は、少なくとも前後一対の針床を有する２枚ベッドまたは４枚ベッドの横編機であり、前後の針床間での目移しと針床が延びる左右方向へのラッキング（振り）が可能なものである。図４において、図面の左右方向が横編機の左右方向に対応し、図面に垂直な方向が横編機の前後方向に対応する。以下、図１に示すニットウエア１０のデザインの型紙が与えられたとして、図４に示す編成時の編地に配置する方法、ならびに編成の手順について具体的に説明する。ここで、以下の説明で用いる「山折り」および「谷折り」の用語は、筒状に編成されるニットウエアの編成中で、筒状編地の内側から外側に向かう方向を基準にして、凸に折り曲げるときを「山折り」といい、凹に折り曲げるときを「谷折り」という。図１に示す型紙の図面では、紙面奥から手前側に向かう方向を基準にし、手前側を凸に折り返すときを「山折り」といい、手前側を凹に折り返すときを「谷折り」という。
【００１９】
最初に、針床における編地の配置と編針の割り当てについて説明する。図１において、前身頃１２および後身頃１８のうち、身幅ｗ２が広い後身頃１８を左右対称に分割する対称軸線ｓ２に沿って背面側の型紙を山折りに折り返し、身幅ｗ１が狭い前身頃１２を左右対称に分割する対称軸線ｓ１に沿って正面側の型紙を谷折りに折り返した状態を想定する。この状態で、後身頃１８の対称軸線ｓ２近傍である山折り部３０を、針床の左右方向の一方側（図４では右側）に配置し、後身頃１８が山折りに折り返された状態で互いに重なり合う身幅方向両端部２８ｂを、針床の左右方向の他方側（図４では左側）に配置する。谷折りに折り返された前身頃１２は、山折りに折り返された後身頃１８の内側に配置される。このとき、前身頃１２の対称軸線ｓ１近傍である谷折り部３２を山折り部３０寄りの前記一方側に配置し、前身頃１２の身幅方向両端部２８ｆを後身頃１８の身幅方向両端部２８ｂと針床の前後方向で重なるように配置する。右袖１４ｒ，１６ｒと左袖１４ｌ，１６ｌとは、身頃１２，１８の袖ぐり部２０ｆ，２０ｂに連続して、各身頃１２，１８から離反する方向に延在することになるので、右袖１４ｒ，１６ｒと左袖１４ｌ，１６ｌとは針床の前後方向に重なるように配置される。
【００２０】
上記方法によって、針床の前後方向に４層または２層の編地が重なって対称に配置されることになる。ここで、針床の前方側から後方側に向かって、第１層が後側左袖１６ｌと左後身頃１８ｌであり、第２層が前側左袖１４ｌと左前身頃１２ｌであり、第３層が前側右袖１４ｒと右前身頃１２ｒであり、第４層が後側右袖１６ｒと右後身頃１８ｒである。第１層と第４層とが外側の外編地を構成し、第２層と第３層とが内側の内編地を構成することになる。外編地だけで内編地が存在しない領域もある。すなわち、上記方法では、前後の針床に２層の内編地および２層の外編地の計４層の編地が重なる４層領域と、前後の針床に２層の外編地が重なる２層領域とが存在する。
【００２１】
ここで、４枚ベッドの横編機を用いて４層領域の編地を編成するには、たとえば前側下針床の編針に、前側外編地のループと前側内編地のループとを交互に割り当てて、後側下針床の編針に、後側外編地のループと後側内編地のループとを交互に割り当てる針抜き編成を行う必要がある。このとき、２層領域の各編地については、総針編成でもよいが、４層領域の編地と風合いを合わせるために、前後の各針床の編針に１つ置きに各編地のループを割り当てる針抜き編成を行うのが好ましい。
【００２２】
２枚ベッドの横編機を用いて４層領域の編地を編成するには、前後の各針床の編針に交互に割り当てられた外編地と内編地との間にさらに目移し用の空針を割り当てる必要があるので、各層の編地のループを針床上で３つ置きの編針に割り当てる必要がる。このとき、２層領域の各編地については、目移し用の空針を考慮すると針床上で１つ置きの編針に割り当てれば十分であるが、４層領域の編地と風合いを合わせるために、針床上で３つ置きの編針に各編地のループを割り当てるのが好ましい。
【００２３】
図６および図７は、４枚ベッドの横編機で、針床の前後方向に４層の編地が重なって編成される場合に、針抜き編成の方法を示す編成図である。針抜き編成では、各編地のループが予め定める針数毎の編針に割り当てられる。図６および図７において、図中の白丸は前側外編地５０のループを表し、図中の黒丸は前側内編地５２のループを表し、図中の白四角は後側外編地５６のループを表し、図中の黒四角は後側内編地５４のループを表す。初期状態では、図６（１）および図７（１）に示すように、前側下針床ＦＤの左から奇数番目の編針に白丸で示される前側外編地５０のループが割り当てられ、前側下針床ＦＤの左から偶数番目の編針に黒丸で示される前側内編地５２のループが割り当てられ、後側下針床ＢＤの左から奇数番目の編針に白四角で示される後側外編地５６のループが割り当てられ、後側下針床ＢＤの左から偶数番目の編針に黒四角で示される後側内編地５４のループが割り当てられる。
【００２４】
図６を用いて図中の白丸で示される前側外編地５０を平編みで編成する方法について説明する。図６（１）に示す初期状態のままで前側外編地５０を編成すると、図中の黒丸の前側内編地５２を一緒に編み込んでしまうことになるので、先ず、図６（２）に示すように、黒丸で示される前側内編地５２のループを対向する後側上針床ＢＵの編針に目移しする。その後、図６（３）に示すように、前側下針床ＦＤに付属している図中の白丸で示される前側外編地５０を編成し、編成後に、図６（４）に示すように、対向する後側上針床ＢＵから前側下針床ＦＤに図中の黒丸で示される前側内編地５２のループを戻す。
【００２５】
同様に、図７を用いて図中の白四角で示される後側外編地５６を平編みで編成する場合には、図中の黒四角で示される後側内編地５４のループを対向する前側上針床ＦＵの編針に目移ししてから（図７（２））、後側下針床ＢＤに付属している白四角の後側外編地５６を編成し（図７（３））、編成後に黒四角の後側内編地５４のループを後側下針床ＢＤに戻す（図７（４））。
【００２６】
図中の黒丸で示される前側内編地５２および黒四角で示される後側内編地５４については、外編地の存在は編成の障害とならないので、図６（１）および図７（１）に示す初期状態のままで、これらの内編地５２，５４を平編みで編成することが可能である。しかし、初期状態のままで編成を行うと、前後に同じ側の外編地と内編地とが、同じ針床の編針を使用することになるので、編成後の編地の前身頃と後身頃とで表目と裏目とが逆転することになる。そこで、黒丸で示される前側内編地５２の編成については、図６（２）に示すように対向する後側上針床ＢＵの編針に目移ししてから、後側上針床ＢＵの編針を用いて編成を行う。黒四角で示される後側内編地５４についても同様に、図７（２）に示すように対抗する前側上針床ＦＵの編針に目移ししてから編成を行う。
【００２７】
このように、編成後の内編地５２，５４の編組織と外編地５０，５６の編組織が一様になるように、たとえば、針床上で前後方向に２層の外編地５０，５６および２層の内編地５２，５４から成る４層の編地が重なって編成される領域では、前側外編地５０および後側内編地５４を編成する針床と前側内編地５２および後側外編地５６を編成する針床とを前後に異ならせて各編地５０，５２，５４，５６が編成される。すなわち、前側の外編地５０と内編地５２とで、および後側の外編地５６と内編地５４とで、針床上で表目と裏目が逆転するように各編地５０，５２，５４，５６を編成する。リブ編みなど他の編組織の編地についても、外編地５０，５６および内編地５２，５４の編成に使用する針床を編組織に応じて考慮すれば、一様な編地とすることができる。
【００２８】
次に、図４および図５に戻り、ニットウエア１０の編成方法について説明する。ニットウエア１０の編成では、裾２２から編み出し、衿２４に向かって編成を行う。
【００２９】
裾２２から袖下端３４までの第１区間４０では、断面形状として図５（ｃ）に示されるように、開口部のない筒状の編地が編成される。この第１区間４０では、１個の給糸口から給糸される編糸を用いて、たとえば、左後身頃１８ｌ、左前身頃１２ｌ、右前身頃１２ｒ、右後身頃１８ｒの順に周回で連続して編成することが可能である。無論、複数の編糸を用いてインターシャなどの柄を編み込むこともできる。
【００３０】
袖下端３４からは、公知の編み出し方法（たとえば、特許文献３参照）を用いて両袖１４ｒ，１４ｌ，１６ｒ，１６ｌの編み出しを開始する。いわゆる捨て編みを用いて、両袖１４ｒ，１４ｌ，１６ｒ，１６ｌの編み出しを身頃１２，１８の編み出しと並行して行うことも可能である。袖下端３４から袖口上端３８までの第２区間４２では、図５（ｂ）に示されるように、左右の袖口２６ｒ，２６ｌの開口があるために１個の給糸口で連続した周回編成を行うことはできない。少なくとも２個の給糸口を用いて、外編地と内編地とで個別に編成を行うことになる。たとえば、外編地は、後側左袖１６ｌ、左後身頃１８ｌ、右後身頃１８ｒ、後側右袖１６ｒの順およびその逆順で往復して編成され、内編地は、前側左袖１４ｌ、左前身頃１２ｌ、右前身頃１２ｒ、前側右袖１４ｒの順およびその逆順で往復して編成される。
【００３１】
袖口上端３８から衿２４までの第３区間４４では、断面形状として図５（ａ）に示されるように、開口部のない筒状の編地が編成される。この第３区間４４では、１個の給糸口から給糸される編糸を用いて、たとえば、後側左袖１６ｌ、左後身頃１８ｌ、右後身頃１８ｒ、後側右袖１６ｒ、前側右袖１４ｒ、右前身頃１２ｒ、左前身頃１２ｌ、前側左袖１４ｌの順に周回で連続して編成することが可能である。また、この第３区間４４では、衿２４に向かって編成が進むにつれて次第に編幅を減少させる。最後の衿２４の部分で、最終コースを伏せ目処理して、編針から衿２４の部分の編目を開放する。
【００３２】
図８は、ニットウエア１０の編成用として図４に示す横編機における編地の配置とは、異なる編地の配置を示す図である。また、図９は、図８の切断面線９ａ−９ａおよび９ｂ−９ｂから見た形状を模式的に示す断面図である。図８の配置は、図４と同様に、図面の左右方向が横編機の針床の左右方向に対応し、図面に垂直な方向が横編機の前後方向に対応し、編成は図面の下から上へと行われる。
【００３３】
図８および図９に示す編地の配置は、図４に示す編地の配置と前身頃１２および後身頃１８については同じである。両袖１４ｒ，１４ｌ，１６ｒ，１６ｌについては、身頃１２，１８から離反する方向に延在して配置される点では図４と共通するが、前身頃１２および後身頃１８とは連続せずに個別に編成される点で図４と異なる。
【００３４】
図８および図９において、前身頃１２および後身頃１８によって構成される筒状の編地は、裾２２から編み出しが開始される。そして、前後の身頃１２，１８の編み出しとは別に、右袖１４ｒ，１６ｒおよび左袖１４ｌ，１６ｌの筒状編地の編み出しをそれぞれ袖口２６ｒ、２６ｌから開始する。右袖１４ｒ，１６ｒおよび左袖１４ｌ，１６ｌの筒状編地の編成が完了し、前身頃１２と後身頃１８とで構成される筒状の編地の編成が袖ぐり部下端４６まで終了した時点で、右袖１４ｒ，１６ｒおよび左袖１４ｌ，１６ｌの筒状編地を、目移しとラッキングを用いて編成中の身頃１２，１８の編地に近接する位置まで移動する。その後、袖ぐり部下端４６から衿２４まで、前身頃１２および後身頃１８を編成しながら、両袖１４ｒ，１４ｌ，１６ｒ，１６ｌを左右の袖ぐり部２０ｆ、２０ｂにそれぞれ接続する。このとき、図９（ａ）に示すように、袖ぐり部２０ｆ、２０ｂには開口があるので、前身頃１２とは後身頃１８とは異なる編糸を用いて編成する。
【００３５】
以上に述べたように、本発明のニットウエアの編成方法によれば、前身頃１２と後身頃１８とが非対称でかつ袖を有するニットウエアであっても、簡単な方法で編成を行うことができる。また、従来の公知の編成技術と組み合わせれば多様なニットウエアを容易に製造することが可能になる。
【００３６】
図１０〜図１２は、本発明の編成方法が適用される他のニットウエア１００，１１０，１２０のデザインの型紙、および横編機での編成時の編地の配置を示す図である。各図の（１）は、前身頃１２、右袖１４ｒおよび左袖１４ｌを含む正面側の形状を示し、各図の（２）は、後身頃１８、右袖１６ｒおよび左袖１６ｌを含む背面側の形状を示す。また、各図の（３）は本発明の編成方法によって編成するときに横編機における編地の配置を示す。各図の（３）は、図４と同様に、図面の左右方向が横編機の針床の左右方向に対応し、図面に垂直な方向が横編機の前後方向に対応し、編成は図面の下から上へと行われる。図１０〜図１２において、図１〜図８に示すニットウエア１０と対応する構成については、同一の参照符号を付して説明を省略する。
【００３７】
図１０に示すニットウエア１００は、前首にドレープ６０を有するセーターのデザイン例を示すものである。前身頃１２の身幅ｗ１は、ドレープ６０の幅を含めて決定されるので、後身頃１８の身幅ｗ２よりも広い。したがって、前身頃１２は、対称軸線ｓ１で山折りされた２層の外編地として編成され、後身頃１８は対称軸線ｓ２で谷折りされた２層の内編地として編成される。
【００３８】
図１１に示すニットウエア１１０は、腹部が突出したマタニティウエアのデザイン例を示すものである。この例も、前身頃１２の身幅ｗ１は、後身頃１８の身幅ｗ２よりも広いので、前身頃１２は、対称軸線ｓ１で山折りされた２層の外編地として編成され、後身頃１８は対称軸線ｓ２で谷折りされた２層の内編地として編成される。
【００３９】
図１２に示すニットウエア１２０は、背部が丸みを帯びて突出したニットウエアのデザイン例を示すものである。この例では、前身頃１２の身幅ｗ１は、後身頃１８の身幅ｗ２よりも狭いので、前身頃１２は、対称軸線ｓ１で谷折りされた２層の内編地として編成され、後身頃１８は対称軸線ｓ２で山折りされた２層の外編地として編成される。
【００４０】
上述の実施の形態は、本発明の例示に過ぎず、本発明の範囲内において構成を変更することができる。たとえば、図４，図１０（３），図１１（３），図１２（３）に示す針床での編地の配置を示す図において、山折り部３０および谷折り部３２の形状は、ニットウエアのデザインに応じて、増やしおよび減らしの成形編みを用いることによって自由に設定することができる。
【図面の簡単な説明】
【００４１】
【図１】本発明の編成方法が適用される一例である前後非対称な袖付きニットウエア１０の正面および背面のデザインの型紙を示す平面図である。
【図２】図１に示す型紙によって編成されたニットウエアの外観を示す正面図である。
【図３】図２の切断面線３ａ−３ａ、３ｂ−３ｂおよび３ｃ−３ｃから見たニットウエアの断面形状を模式的に示す断面図である。
【図４】本発明の編成方法を用いて、図１〜図３に示すニットウエア１０を編成するときの横編機での編地の配置を示す図である。
【図５】図４の切断面線５ａ−５ａ、５ｂ−５ｂおよび５ｃ−５ｃから見た形状を模式的に示す断面図である。
【図６】４枚ベッドの横編機で、針床の前後方向に４層の編地が重なって編成される場合に、針抜き編成の方法を示す編成図である。
【図７】４枚ベッドの横編機で、針床の前後方向に４層の編地が重なって編成される場合に、針抜き編成の方法を示す編成図である。
【図８】ニットウエア１０の編成用として図４に示す横編機における編地の配置とは、異なる編地の配置を示す図である。
【図９】図８の切断面線９ａ−９ａおよび９ｂ−９ｂから見た形状を模式的に示す断面図である。
【図１０】本発明の編成方法が適用される他のニットウエア１００のデザインの型紙、および横編機での編成時の編地の配置を示す図である。
【図１１】本発明の編成方法が適用される他のニットウエア１１０のデザインの型紙、および横編機での編成時の編地の配置を示す図である。
【図１２】本発明の編成方法が適用される他のニットウエア１２０のデザインの型紙、および横編機での編成時の編地の配置を示す図である。
【符号の説明】
【００４２】
１０，１００，１１０，１２０  ニットウエア
１２，１２ｒ，１２ｌ  前身頃
１４ｒ，１４ｌ，１６ｒ，１６ｌ  袖
１８，１８ｒ，１８ｌ  後身頃
２０ｆ，２０ｂ  袖ぐり部
２２    裾
２４  衿
２６ｒ，２６ｌ  袖口
２８ｆ，２８ｂ    身幅方向両端部
３０  山折り部
３２  谷折り部
５０    前側外編地
５２    前側内編地
５４    後側内編地
５６    後側外編地
ＢＤ    後側下針床
ＢＵ    後側上針床
ＦＤ    前側下針床
ＦＵ    前側上針床
【図１】
2008163528.tif 000003
【図２】
2008163528.tif 000004
【図３】
2008163528.tif 000005
【図４】
2008163528.tif 000006
【図５】
2008163528.tif 000007
【図６】
2008163528.tif 000008
【図７】
2008163528.tif 000009
【図８】
2008163528.tif 000010
【図９】
2008163528.tif 000011
【図１０】
2008163528.tif 000012
【図１１】
2008163528.tif 000013
【図１２】
2008163528.tif 000014